(57)【特許請求の範囲】
【請求項１】
第１相乃至第３相のケーブルの一端がそれぞれ接続される第１乃至第３の接続端子と、抵抗値が異なる第１及び第２の抵抗器と、第１のモードで前記第１の接続端子を接地するとともに、前記第２及び第３の接続端子をそれぞれ前記第１及び第２の抵抗器を介して接地し、第２のモードで前記第１乃至第３の接続端子をオープン状態に設定し、第３のモードで前記第１乃至第３の接続端子を接地する切替手段と、を具備し、
前記切替手段が第１のモードの時に前記ケーブルの他端側の各相に絶縁抵抗計を接続してケーブル相確認を行い、前記切替手段が第２のモードの時に前記ケーブルの他端側の各相に絶縁抵抗計を接続してケーブルの健全性確認を行い、前記切替手段が第３のモードの時に作業を行い、
ケース内に切替手段が収納され、ケースの側面にスリットを設け切替手段の位置を外部から確認できる位置確認部材がスリットから突出していることを特徴とする、ケーブルの測定モード切替装置。
【請求項２】
前記切替手段は、第１の可動接点に第１相のケーブルが接続され、第１及び第２の固定接点が接地された第１の切替スイッチと、第２の可動接点に第２相のケーブルが接続され、第３の固定接点が前記第１の抵抗を介して接地され、第４の固定接点が接地された第２の切替スイッチと、第３の可動接点に第３相のケーブルが接続され、第５の固定接点が前記第２の抵抗を介して接地され、第６の固定接点が接地された第３の切替スイッチとを備え、前記第１の動作モードの時に前記第１乃至第３の切替スイッチの第１乃至第３の可動接点がそれぞれ第１、第３、第５の接続端子に接続され、前記第２の動作モードの時に前記第１乃至第３の切替スイッチの可動接点がそれぞれオープン状態にされ、前記第３の動作モードの時に前記第１乃至第３の切替スイッチの可動接点がそれぞれ第２、第４、第６の接続端子に接続されることを特徴とする、請求項１に記載のケーブルの測定モード切替装置。
【請求項３】
前記第１乃至第３の切替スイッチは連動して動作し、前記第１乃至第３の可動接点が前記第１、第３、第５の固定接点に接続された状態、オープン状態、及び前記第２、第４、第６の固定接点に接続された状態でそれぞれロックするロック機構を更に備えることを特徴とする、請求項２に記載のケーブルの測定モード切替装置。
【請求項４】
前記第１及び第２の抵抗器の抵抗値を、それぞれ異なる値に切り替える第１及び第２の可変抵抗手段を更に具備することを特徴とする、請求項１に記載のケーブルの測定モード切替装置。
【請求項５】
前記第１及び第２の可変抵抗手段は、それぞれ選択スイッチと、前記選択スイッチによって選択される、抵抗値の異なる複数の抵抗器を備えることを特徴とする、請求項４に記載のケーブルの測定モード切替装置。
【発明の詳細な説明】
【技術分野】
【０００１】
本発明は、例えば、地中電線路工事において、３相ケーブルを布設する際のケーブル相確認、ケーブルの健全性確認、及び工事中の安全対策としてケーブルを接地するための切り替えを行う、ケーブルの測定モード切替装置に関するものである。
【背景技術】
【０００２】
地中電線路は、地下に布設することから、直接埋設または管路・洞道布設としており、布設する相順やケーブルの健全性等を目視で確認することができない。このため、作業前、途中、施工終了後の各段階で、電気的に確認を行っている。
【０００３】
従来において、３相ケーブルを布設する地中電線路工事では、工事毎にケーブル終端末に対し、図１２に示すような相確認用の回路を組み立て、施工中に中間接続箇所や相手端末で、第１相から第３相までの各相や健全性を確認しつつ工事を進めている。
【０００４】
即ち、ケーブル（地中電線路）１の終端末にセンスメータ（例えば、特許文献１参照）２を接続し、例えば、第１相（黒）３を接地、第２相（赤）４を１ＭΩまたは５ＭΩの抵抗器５を介して接地、第３相（白）６を１０ＭΩの抵抗器７を介して接地する。この接続には、例えば、耐圧が６００ＶのＩＶ（Indoor PVC）線が用いられる。
【０００５】
そして、他端側のケーブル終端末の各相と接地との間に絶縁抵抗計（メガーとも呼ばれる）８を順次接続し、１００Ｖ程度の測定電圧で抵抗値を計測することで、第１相乃至第３相を確認する。このとき、正しく接続されていれば、第１相の接地抵抗は“０”、第２相の接地抵抗は１ＭΩまたは５ＭΩ、第３相の接地抵抗は１０ＭΩとなる。
【０００６】
また、ケーブル１に接続不良や断線、地絡事故や相間短絡事故が発生していないか等のケーブルの健全性を確認する際には、上記絶縁抵抗計８を１０００Ｖ程度の測定電圧に設定し、センスメータ２を外してケーブル１の終端末をオープン状態にして、ケーブル線路単独での絶縁抵抗を測定している。
【０００７】
上記のケーブル相確認や健全性確認は、ケーブル１の終端末だけでなく、地中の中間接続箇所１ａ，１ｂや受電機器等と発送変電所の相確認を行う必要があるため、施工前、施工中、施工後において、各端末へ上記回路を個別に組み立てている。また、施工中には、ケーブル１へ他線路からの誘導電流による感電事故等を防止するため、工事中の安全対策として、各相を全て接地状態にしてケーブル工事を実施している。
【先行技術文献】
【特許文献】
【０００８】
【特許文献１】実開平３−１２５２７６号公報
【発明の概要】
【発明が解決しようとする課題】
【０００９】
上述したように、地中電線路工事では、ケーブル相確認、ケーブルの健全性確認、及び工事中にケーブルを接地して安全対策を行う必要があるが、ケーブル端末（発送変電所や顧客受電所）へ取り付けた抵抗器や配線の着脱が必要であり、手間と時間を要している。
【００１０】
しかも、送・受電機器の操作となるため、その都度管理者の立会いを伴っている。
【００１１】
また、ケーブルの健全性を確認する場合、各測定や工事中の終端末の操作切り替えの頻度が高く、その都度付け外しを実施しなければならない。
【００１２】
しかも、センスメータ２の取り付け箇所では、電線類を多く使用するため、取り付け違いや足元の安全対策にも苦慮している。
【００１３】
本発明は、上記のような事情に鑑みてなされたもので、その目的とするところは、作業員の安全性を確保しつつ、ケーブル相確認、ケーブルの健全性確認、及びケーブルの接地作業の容易化を図ることのできる、ケーブルの測定モード切替装置を提供することにある。
【課題を解決するための手段】
【００１４】
本発明に係るケーブルの測定モード切替装置においては、第１相乃至第３相のケーブルの一端がそれぞれ接続される第１乃至第３の接続端子と、抵抗値が異なる第１及び第２の抵抗器と、第１のモードで前記第１の接続端子を接地するとともに、前記第２及び第３の接続端子をそれぞれ前記第１及び第２の抵抗器を介して接地し、第２のモードで前記第１乃至第３の接続端子をオープン状態に設定し、第３のモードで前記第１乃至第３の接続端子を接地する切替手段と、を具備し、
前記切替手段が第１のモードの時に前記ケーブルの他端側の各相に絶縁抵抗計を接続してケーブル相確認を行い、前記切替手段が第２のモードの時に前記ケーブルの他端側の各相に絶縁抵抗計を接続してケーブルの健全性確認を行い、前記切替手段が第３のモードの時に作業を行い、
ケース内に切替手段が収納され、ケースの側面にスリットを設け切替手段の位置を外部から確認できる位置確認部材がスリットから突出していることで、上述した課題を解決した。
【００１６】
加えて、前記切替手段は、第１の可動接点に第１相のケーブルが接続され、第１及び第２の固定接点が接地された第１の切替スイッチと、第２の可動接点に第２相のケーブルが接続され、第３の固定接点が前記第１の抵抗を介して接地され、第４の固定接点が接地された第２の切替スイッチと、第３の可動接点に第３相のケーブルが接続され、第５の固定接点が前記第２の抵抗を介して接地され、第６の固定接点が接地された第３の切替スイッチとを備え、前記第１の動作モードの時に前記第１乃至第３の切替スイッチの第１乃至第３の可動接点がそれぞれ第１、第３、第５の接続端子に接続され、前記第２の動作モードの時に前記第１乃至第３の切替スイッチの可動接点がそれぞれオープン状態にされ、前記第３の動作モードの時に前記第１乃至第３の切替スイッチの可動接点がそれぞれ第２、第４、第６の接続端子に接続されることで、同じく上述した課題を解決した。
【００１７】
また、前記第１乃至第３の切替スイッチは連動して動作し、前記第１乃至第３の可動接点が前記第１、第３、第５の固定接点に接続された状態、オープン状態、及び前記第２、第４、第６の固定接点に接続された状態でそれぞれロックするロック機構を更に備えることで、同じく上述した課題を解決した。
【００１８】
この他、前記第１及び第２の抵抗器の抵抗値をそれぞれ異なる値に切り替える第１及び第２の可変抵抗手段を更に具備することで、同じく上述した課題を解決した。
【００１９】
また、前記第１及び第２の可変抵抗手段は、それぞれ選択スイッチと、前記選択スイッチによって選択される、抵抗値の異なる複数の抵抗器を備えることで、同じく上述した課題を解決した。
【発明の効果】
【００２０】
本発明に係るケーブルの測定モード切替装置によれば、切替手段で第１乃至第３のモードに合わせた三つの回路接続状態に切り替えることで、作業員の安全性を確保しつつ、ケーブル相確認とケーブルの健全性確認、及びケーブルの接地作業の容易化が図れる。
【００２１】
しかも、ケーブル相確認、ケーブルの健全性確認及びケーブルの接地作業を、ケーブルの終端末に切替装置を取り付けた状態で実施できるので、作業の簡単化や作業要員の安全性確保、ヒューマンエラー防止等の効果が得られる。
【００２２】
また、ケーブルの終端末に切替装置を取り付けた状態で、第１のモードではケーブル相確認、第２のモードではケーブルの健全性確認、第３のモードではケーブルの接地作業を安全且つ容易に行うことができる。
【００２３】
加えて、切替手段を、連動して動作する第１乃至第３の切替スイッチで構成すれば、低コストで確実な動作を実現できる。
【００２４】
また、切替スイッチにロック機構を設けることで、不要動作や操作誤認の防止も図れる。
【００２５】
この他、第１及び第２の可変抵抗手段を設ければ、使用範囲の拡大も見込める。
【００２６】
また、第１及び第２の可変抵抗手段は、選択スイッチと抵抗値の異なる複数の抵抗器とで実現できる。
【図面の簡単な説明】
【００２７】
【図１】本発明の第１の実施の形態に係るケーブルの測定モード切替装置を示す回路図である。
【図２】図１に示したケーブルの測定モード切替装置の構成例を示す外観斜視図である。
【図３】図２に示したケーブルの測定モード切替装置を、下方から見た斜視図である。
【図４】図２に示したケーブルの測定モード切替装置の上蓋を開けて、内部構成を示す斜視図である。
【図５】切替スイッチのロック機構について説明するためのもので、（ａ）図はロック機構として働く板状部材を下方から見た斜視図、（ｂ）図は板状部材を上方から見た斜視図、（ｃ）図は板状部材をケースに装着した状態の斜視図である。
【図６】切替スイッチのロック機構について説明するためのもので、切替スイッチをセンス側でロックした状態の斜視図である。
【図７】切替スイッチのロック機構について説明するためのもので、切替スイッチをオープン状態でロックした状態の斜視図である。
【図８】切替スイッチのロック機構について説明するためのもので、切替スイッチを接地側でロックした状態の斜視図である。
【図９】本発明の第１の実施の形態に係るケーブルの測定モード切替装置の変形例を示す側面図である。
【図１０】本発明の第２の実施の形態に係るケーブルの測定モード切替装置を示す回路図である。
【図１１】ケーブルの測定モード切替装置の使用例を示すもので、二つの変電所間に地中電線路を新設する場合の概略図である。
【図１２】従来のケーブル相確認とケーブルの健全性確認について説明するためのもので、地中電線路工事の概略図である。
【発明を実施するための形態】
【００２８】
以下に、本発明を実施するための形態を、図面を参照して説明する。
【００２９】
図１は、本発明の第１の実施の形態に係るケーブルの測定モード切替装置を示す回路図である。この装置は、ケーブル終端末の第１相（黒）に接続される第１の接続端子１１、第２相（赤）に接続される第２の接続端子１２、第３相（白）に接続される第３の接続端子１３を備えている。これら第１乃至第３の接続端子１１〜１３は、それぞれ切替スイッチ１４〜１６の可動接点１４ａ〜１６ａに接続される。
【００３０】
上記各切替スイッチ１４〜１６の可動接点１４ａ〜１６ａは、連動して三つの状態に切り替え可能に構成されており、第１のモードで固定接点１４ｂ〜１６ｂにそれぞれ接続され、第２のモードでオープン状態（図示）、第３のモードで固定接点１４ｃ〜１６ｃにそれぞれ接続される。上記各切替スイッチ１４〜１６には、不要動作や誤操作防止のためのロック機構が設けられている。
【００３１】
上記切替スイッチ１４の固定接点１４ｂは接地され、上記切替スイッチ１５の固定接点１５ｂは抵抗器１７を介して接地され、上記切替スイッチ１６の固定接点１６ｂは抵抗器１８を介して接地される。
【００３２】
上記抵抗器１７の抵抗値は、例えば、１ＭΩまたは５ＭΩ、上記抵抗器１８の抵抗値は１０ＭΩである。また、上記各切替スイッチ１４〜１６の固定接点１４ｃ〜１６ｃは、それぞれ接地されている。
【００３３】
上記のような構成において、測定や作業を行う際には、切替スイッチ１４〜１６を次のような三つの状態に選択的に切り替える。
【００３４】
即ち、ケーブル相確認時には、各切替スイッチ１４〜１６の可動接点１４ａ〜１６ａを固定接点１４ｂ〜１６ｂにそれぞれ接続（第１のモード）する。また、ケーブルの健全性確認時には、可動接点１４ａ〜１６ａをオープン状態（第２のモード）にする。そして、工事中は、可動接点１４ａ〜１６ａを固定接点１４ｃ〜１６ｃにそれぞれ接続（第３のモード）する。
【００３５】
これによって、第１のモードでは接続端子１１が接地されると共に、接続端子１２，１３がそれぞれ抵抗器１７，１８を介して接地される。また、第２のモードでは、接続端子１１〜１３がオープン状態に設定される。更に、第３のモードでは、接続端子１１〜１３が接地される。このように、切替スイッチ１４〜１６は、第１乃至第３のモードを切り替える切替回路（切替手段）１９として働く。
【００３６】
従って、ケーブル相確認時には、第１相が接地、第２相と第３相が抵抗値の異なる抵抗（１ＭΩと１０ＭΩ）を介して接地される。ケーブルの健全性を確認するための絶縁抵抗の測定時には、第１相乃至第３相が全てオープン状態になる。また、工事中には、第１相乃至第３相が接地される。
【００３７】
このように、各切替スイッチ１４〜１６を選択的に三状態に切り替えることで、測定モード切替装置を取り付けた状態で、選択的にケーブル相確認、ケーブルの健全性確認、及びケーブルの接地作業を実施でき、作業の簡単化や作業要員の安全性確保、ヒューマンエラー防止等の効果が得られる。
【００３８】
図２乃至図４は、それぞれ図１に示したケーブルの測定モード切替装置の構成例を示しており、図２は外観斜視図、図３は下方から見た斜視図、図４は上蓋を開けて内部構成を示す斜視図である。図２に示すように、ケース（筐体）２１には、内部のスイッチや配線、抵抗器等の電子部品を保護するための上蓋２２が装着されており、このケース２１の側面から第１相（黒）用、第２相（赤）用、及び第３相（白）用のＩＶ線２３〜２５が導出されている。
【００３９】
これらのＩＶ線２３〜２５の端部には、それぞれ上記接続端子１１〜１３が設けられており、種々の配線や端子に容易に接続可能になっている。また、ケース２１の対向する測面から接地（緑）用のＩＶ線２６が導出されている。本例では、上記ＩＶ線２３〜２６に、耐圧が６００Ｖのものを使用している。
【００４０】
図３に示すように、ケース２１の底部には、ゴム足３２ａ〜３２ｄが装着されており、底部近傍の対向する側面には、スリット状の開孔３１ａ〜３１ｄが設けられている。これらの開孔３１ａ〜３１ｄは、金属やゴム、樹脂等のベルトを通して、切替装置を部材に取り付け、固定するためのものである。
【００４１】
図４に示すように、上記ケース２１内には、上記切替スイッチ１４〜１６と、上記抵抗器１７，１８、これらを接続する配線等が収容されている。本例では、上記切替スイッチ１４〜１６に、三相用のカバー付きナイフスイッチ２０を用いている。
【００４２】
このナイフスイッチ２０は、図１における切替回路１９と同様な切り替え操作が可能になっている。また、上記ＩＶ線２３〜２６が、電極２７〜３０にそれぞれ接続されている。そして、これらナイフスイッチ２０、抵抗器１７，１８及びＩＶ線２３〜２６で、図１に示したような回路接続が実現されている。
【００４３】
上記ナイフスイッチ２０には、ロック機構が装着される。このロック機構は、図５（ａ）（ｂ）に示すように、ナイフスイッチ２０のつまみ部２０ａを突出させるための開口３５ａを有する板状部材３５と、ネジ３６，３７とで構成されている。ここでは、板状部材３５として透明なアクリル板を用いている。
【００４４】
ロック機構を構成する板状部材３５には、図５（ａ）に示すように、ネジ３６，３７が、所定の間隔を開けて傾斜状に配置されている。この板状部材３５のネジ３６，３７は、図４・図５（ｃ）に示すように、ナイフスイッチ２０側においてカバーを固定するために、所定の間隔を開けて傾斜状に配置されているネジ穴２０ｂ，２０ｃに挿入される。
【００４５】
具体的には、図５（ｂ）（ｃ）に示すように、板状部材３５のネジ３６，３７を下側に配置している状態において、板状部材３５のネジ３６をナイフスイッチ２０側のネジ穴２０ｂに挿入し、また、板状部材３５のネジ３７をナイフスイッチ２０側のネジ穴２０ｃに挿入するのである。
【００４６】
この状態でケース２１に上蓋２２を装着することにより、板状部材３５の上方への移動が規制されて、ナイフスイッチ２０のつまみ部２０ａをロックするのである。
【００４７】
尚、板状部材３５のネジ３６，３７を、ナイフスイッチ２０側のネジ穴２０ｂ，２０ｃにねじ込んで固定する構成にすると、ナイフスイッチ２０部分への板状部材３５の取り付けがより強固なもとなり、つまみ部２０ａをロックするのに好ましいものとなる。
【００４８】
図６では、ナイフスイッチ２０をセンス側（センスメータとしてケーブルの相確認に使用する状態）に切り替えてロックした状態を示しており、ナイフスイッチ２０のつまみ部２０ａを板状部材３５で覆うことで、切り替え操作が禁止さている。
【００４９】
図７は、ナイフスイッチ２０をオープン状態（ケーブルの健全性確認に使用する状態）にしてロックした状態を示しており、ナイフスイッチ２０のつまみ部２０ａが、開口３５ａ内で固定されて切り替え操作が禁止されている。
【００５０】
また、図８は、ナイフスイッチ２０を接地側（全ての相を接地した状態）に切り替えてロックした状態を示しており、ナイフスイッチ２０のつまみ部２０ａを板状部材３５で覆うことで、切り替え操作が禁止されている。
【００５１】
上記のような構成によれば、図１に示した回路を簡単な構造で且つ低コストに実現できる。また、ロック機構を構成する板状部材３５として、透明のアクリル板を用いることで、ナイフスイッチ２０の状態を目視で確認できる。例えば、ナイフスイッチ２０におけるつまみ部２０ａの側面に、「センス側」、「接地側」等と表記しておくことにより、これを目視してより確実に誤操作を防止できる。
【００５２】
図９は、上述した第１の実施の形態の変形例を示しており、ケース２１の側面に扇状のスリット４６を設け、ナイフスイッチ２０のつまみ部２０ａの位置が外部から確認できるようにしたものである。このナイフスイッチ２０のつまみ部２０ａには、上記スリット４６内に突出する突起や棒状の位置確認部材４７を設けている。
【００５３】
このような構成によれば、図９の矢印で示すように、ナイフスイッチ２０の操作に応じて、位置確認部材４７が移動する。よって、上蓋２２を閉じた図２に示すような状態で使用しても、ナイフスイッチ２０のつまみ部２０ａの位置を外部から目視で確認でき、使い勝手を向上できる。
【００５４】
また、上記ナイフスイッチ２０に機械的に連動して、第１乃至第３のモードを表示するようにしても良い。勿論、ケース２１の上蓋２２を透明な材料で形成して、内部を目視で確認できるようにすれば、上蓋２２を閉じた状態で使用する場合にも表示機能は不要であり、防水性も高めることができる。
【００５５】
図１０は、本発明の第２の実施の形態に係るケーブルの測定モード切替装置を示す回路図である。前述した第１の実施の形態では、抵抗器１７，１８が固定の抵抗値を持つ場合を例に取って説明したが、この第２の実施の形態は、抵抗器１７，１８の抵抗値を可変にするものである。図１０において、図１と同一構成部には、同じ符号を付してその詳細な説明を省略する。
【００５６】
即ち、抵抗値の異なる複数の抵抗器３８〜４０を選択スイッチ４４で選択し、抵抗値の異なる複数の抵抗器４１〜４３を選択スイッチ４５で選択するようにしている。これによって、抵抗値が変化する可変抵抗手段として用いることができる。この例では、上記抵抗器３８〜４０の抵抗値は、それぞれ１ＭΩ、５ＭΩ、１０ＭΩであり、上記抵抗器４１〜４３の抵抗値もそれぞれ１ＭΩ、５ＭΩ、１０ＭΩである。
【００５７】
このように、選択スイッチ４４，４５で抵抗値の異なる複数の抵抗器３８〜４３を選択することにより、使用範囲を拡大して汎用性を高めることができる。
【００５８】
尚、上述した第１、第２の実施の形態では、切替スイッチを機械的なナイフスイッチ２０を用いて切替回路１９を構成する例を示したが、サイリスタやパワートランジスタ等の半導体スイッチ、或いは、リレーを使っても同様な回路を構成できる。
【００５９】
この場合、上記半導体スイッチの動作を制御する制御回路を設けることで、測定や切り替えの自動化ができ、ＬＥＤ等の点灯による各モードの報知も可能になる。
【００６０】
次に、上記のようなケーブルの測定モード切替装置を用いた地中電線路工事について、図１１により説明する。ここでは、変電所５１と変電所５２間に、ケーブル５３−１〜５３−３を新設する例（変電所５１側で相合わせする場合）について説明する。両変電所５１，５２とも、気中終端で、ケーブル５３−１〜５３−３は６６ＫＶのＣＶＴ（トリプレックス形架橋ポリエチレンビニルシースケーブル）を用いるものとする。
【００６１】
まず、布設箇所に、ケーブル５３−１〜５３−３を引き入れる。本例では、ケーブル５３−３の一端側の終端末を変電所５２の地上に、他端側の終端末を管路内や洞道内に布設している。また、ケーブル５３−２は管路内や洞道内に布設し、ケーブル５３−１の一端側の終端末を変電所５１の地上に、他端側の終端末を管路内や洞道内に布設している。
【００６２】
ケーブル５３−１〜５３−３の布設終了後、変電所５２側のケーブル５３−３終端末を接続する。接続終了後、ケーブル５３−３終端部へ、前述した本発明のケーブルの測定モード切替装置１００を取り付ける。
【００６３】
次に、例えば、マンホール内において、変電所５２側の中間接続箇所５３ａでケーブル５３−３と５３−２を接続する。この際、ケーブルの接続前に、切替装置１００を第１のモードにしてケーブル５３−３の相確認を行い、第１相（黒）、第２相（赤）及び第３相（白）を表示してから作業を行う。この接続作業に際しては、切替装置１００を第３のモードにして、全ての相を接地した状態で作業を行う。
【００６４】
接続終了後、切替装置１００を第１のモードにして、変電所５１側の中間接続箇所５３ｂ側の接続前に相確認を行う。相確認は、中間接続箇所５３ｂにおけるケーブル５３−２の終端末の各相と接地間に絶縁抵抗計２００を順次接続し、１００Ｖ程度の測定電圧で抵抗値を計測することで、第１相乃至第３相を確認する。正しく接続されていれば、第１相の接地抵抗は“０”、第２相の接地抵抗は１ＭΩまたは５ＭΩ、第３相の接地抵抗は１０ＭΩとなる。相確認終了後、切替装置１００を第３のモードにして、全ての相を接地する。
【００６５】
次に、変電所５１側の中間接続箇所５３ｂで、ケーブル５３−２と５３−１を接続する。この場合にも、中間接続箇所５３ｂの接続前に、切替装置１００を第１のモードにしてケーブル５３−２の相確認を行い、第１相乃至第３相を表示してから接続する。接続に際しては、切替装置１００を第３のモードにして、全ての相を接地した状態で作業を行う。
【００６６】
次に、変電所５１側の地上にて、ケーブル５３−１の終端末接続を行う。この場合にも、接続前に切替装置１００を第１のモードにしてケーブル５３−１終端末の相確認を行い、第１相乃至第３相を表示してから接続する。接続に際しては、切替装置１００を第３のモードにして、全ての相を接地した状態で作業を行う。
【００６７】
終端末接続終了後、新設したケーブルの全区間を通して相確認を行う。相確認は、変電所５１側地上にて、ケーブル５３−１の終端部の各相と接地間に絶縁抵抗計２００を順次接続し、１００Ｖ程度の測定電圧で抵抗値を計測することで、第１相乃至第３相を確認する。
【００６８】
正しく接続されていれば、第１相の接地抵抗は“０”、第２相の接地抵抗は１ＭΩまたは５ＭΩ、第３相の接地抵抗は１０ＭΩとなる。相確認終了後、切替装置１００を第３のモードにして、全ての相を接地する。
【００６９】
そして、切替装置１００を第２のモードにして、全相をオープン状態にする。この状態で、変電所５１側のケーブル５３−１の終端部の各相に絶縁抵抗計２００を１０００Ｖ程度の測定電圧に設定し、ケーブルの絶縁抵抗を測定してケーブルの健全性を確認する。確認終了後、切替装置１００を第３のモードにして、全ての相を接地する。
【００７０】
その後、測定モード切替装置１００を取り外す。そして、ケーブル全体の課電試験を行い（試充電）、全ての検査終了後に系統課電を行うことで使用開始となる。
【００７１】
このように、ケーブル相確認時に、線路を直接触る必要はなくなり、且つケーブル相の確認は、接地または抵抗接地であり、オープン状態で測定しないので、誘導電流による感電事故等を防止し、作業員の安全性を向上できる。また、切替スイッチの切り替え操作で実施できるため、装置の着脱は、工事開始の設置時と、工事終了後の取り外し時のみの作業工程にできる。
【００７２】
しかも、工事中間時における作業や立会いを省略し、切替スイッチの切り替え操作で実施できるため、作業時間の短縮、作業要員の削減、センスメータ着脱時のヒューマンエラー（取り付け間違い）防止が図れる。更に、切替装置を接続したまま、ケーブルの健全性確認も可能である。
【００７３】
尚、上述した二つの変電所間に地中電線路を新設する場合だけでなく、既設受電設備を新受電設備に切り替える際や、例えば、事故等によってケーブルの一部を引き替えるために、既設設備の一部を新設する場合等にも同様に適用でき、同様な作用効果が得られる。
【産業上の利用可能性】
【００７４】
本発明に係るケーブルの測定モード切替装置は、地中電線路工事において、ケーブル相確認、ケーブルの健全性確認、及び工事中にケーブルを接地して安全対策を行う場合に利用できる。
【符号の説明】
【００７５】
１…ケーブル（地中電線路）
１ａ…中間接続箇所
１ｂ…中間接続箇所
２…センスメータ
３…第１相（黒）
４…第２相（赤）
５…抵抗器
６…第３相（白）
７…抵抗器
８…絶縁抵抗計
１１…接続端子
１２…接続端子
１３…接続端子
１４…切替スイッチ
１５…切替スイッチ
１６…切替スイッチ
１４ａ…可動接点
１５ａ…可動接点
１６ａ…可動接点
１４ｂ…固定接点
１５ｂ…固定接点
１６ｂ…固定接点
１４ｃ…固定接点
１５ｃ…固定接点
１６ｃ…固定接点
１７…抵抗器
１８…抵抗器
１９…切替回路（切替手段）
２０…ナイフスイッチ
２０ａ…つまみ部
２０ｂ…ネジ穴
２０ｃ…ネジ穴
２１…ケース
２２…上蓋
２３…ＩＶ線
２４…ＩＶ線
２５…ＩＶ線
２６…ＩＶ線
２７…電極
２８…電極
２９…電極
３０…電極
３１ａ…開孔
３１ｂ…開孔
３１ｃ…開孔
３１ｄ…開孔
３２ａ…ゴム足
３２ｂ…ゴム足
３２ｃ…ゴム足
３２ｄ…ゴム足
３５…板状部材
３５ａ…開口
３６…ネジ
３７…ネジ
３８…抵抗器
３９…抵抗器
４０…抵抗器
４１…抵抗器
４２…抵抗器
４３…抵抗器
４４…選択スイッチ
４５…選択スイッチ
４６…スリット
４７…位置確認部材
５１…変電所
５２…変電所
５３−１…ケーブル（地中電線路）
５３−２…ケーブル（地中電線路）
５３−３…ケーブル（地中電線路）
５３ａ…中間接続箇所
５３ｂ…中間接続箇所
１００…ケーブルの測定モード切替装置
２００…絶縁抵抗計
【図１】
0005818062.tif 000002
【図２】
0005818062.tif 000003
【図３】
0005818062.tif 000004
【図４】
0005818062.tif 000005
【図５】
0005818062.tif 000006
【図６】
0005818062.tif 000007
【図７】
0005818062.tif 000008
【図８】
0005818062.tif 000009
【図９】
0005818062.tif 000010
【図１０】
0005818062.tif 000011
【図１１】
0005818062.tif 000012
【図１２】
0005818062.tif 000013